(57)【特許請求の範囲】
【請求項１】
二次電池の電流Ｉと端子電圧Ｖとを計測し、適応デジタルフィルタを用いて、前記電流Ｉと端子電圧Ｖの計測値から開路電圧Ｖ０を推定し、予め求めた開路電圧Ｖ０と充電率ＳＯＣとの関係に基づいて充電率を推定する充電率推定装置において、
（数１）式に示す連続時間系の電池モデルを用いて、適応デジタルフィルタ演算を行い、前記の計測した電流Ｉと端子電圧Ｖを用いて過渡項であるＡ(ｓ）、Ｂ(ｓ）、Ｃ(ｓ）の係数に対応するパラメータを一括推定するパラメータ推定手段と、
前記の計測した電流Ｉと端子電圧Ｖおよび前記パラメータ推定手段で推定したパラメータを前記（数１）式に代入することで開路電圧Ｖ０を算出する開路電圧演算手段と、
前記の推定した開路電圧Ｖ０を用いて、予め求めた開路電圧Ｖ０と充電率ＳＯＣの関係から充電率を推定する充電率推定手段と、
を備え、かつ、前記パラメータ推定手段は、計測した電流Ｉの絶対値が所定値以下の場合には適応デジタルフィルタの演算を停止し、各パラメータ推定値を前回の演算値に保持するように構成したことを特徴とする二次電池の充電率推定装置。
【数１】
0003714330.tif 000020
なお、ｓはラプラス演算子
【請求項２】
前記パラメータ推定手段は、計測した電流Ｉの絶対値が所定値以下の値を所定時間以上継続した場合に適応デジタルフィルタの演算を停止し、各パラメータ推定値を前回の演算値に保持することを特徴とする請求項１に記載の二次電池の充電率推定装置。
【請求項３】
前記（数１）式に示した連続時間系の電池モデルの開路電圧Ｖ０を、（数２）式で近似することで（数３）式とし、前記（数３）式を用いて適応デジタルフィルタ演算を行い、前記の計測した電流Ｉと端子電圧Ｖを用いて過渡項であるＡ(ｓ）、Ｂ(ｓ）、Ｃ(ｓ）の係数に対応するパラメータおよび変数ｈを一括推定し、その結果として推定したパラメータおよび前記の計測した電流Ｉと端子電圧Ｖを前記（数１）式に代入することで開路電圧Ｖ０を算出し、求めたＶ０を用いて、予め求めた開路電圧Ｖ０と充電率ＳＯＣの関係から充電率を推定することを特徴とする請求項１に記載の二次電池の充電率推定装置。
【数２】
0003714330.tif 000021
【数３】
0003714330.tif 000022
【請求項４】
連続時間系の電池モデルとして前記（数１）式の代わりに（数４）式を用い、開路電圧Ｖ０を前記（数２）式で近似することで（数３）式とし、前記（数３）式を用いて適応デジタルフィルタ演算を行い、その結果として推定したパラメータおよび前記の計測した電流Ｉと端子電圧Ｖを前記（数４）式に代入することで開路電圧Ｖ０を算出し、求めたＶ０を用いて、予め求めた開路電圧Ｖ０と充電率ＳＯＣの関係から充電率を推定することを特徴とする請求項２に記載の二次電池の充電率推定装置。
【数４】
0003714330.tif 000023
【発明の詳細な説明】
【０００１】
【発明の属する技術分野】
本発明は、二次電池の充電率（ＳＯＣ）を推定する装置に関する。
【０００２】
【従来の技術】
【特許文献１】
特開２０００−３２３１８３号公報
【特許文献２】
特開２０００−２６８８８６号公報
【非特許文献１】
「論文“適応デジタルフィルタを用いた鉛電池の開路電圧と残存容量の推定”四国総研、四国電力、湯浅電池  T.IEEE Japan Vol.112-C,No.4 1992」
二次電池の充電率ＳＯＣ（充電状態とも言う）は開路電圧Ｖ０（通電遮断時の電池端子電圧であり、起電力、開放電圧とも言う）と相関があるので、開路電圧Ｖ０を求めれば充電率を推定することが出来る。しかし、二次電池の端子電圧は、通電を遮断（充放電を終了）した後も安定するまでに時間を要するので、正確な開路電圧Ｖ０を求めるには、充放電を終了してから所定の時間が必要である。したがって充放電中や充放電直後では、正確な開路電圧Ｖ０を求めることが出来ないので、上記の方法で充電率ＳＯＣを求めることが出来ない。そのため、従来は、たとえば上記非特許文献１に記載のような方法を用いて開路電圧Ｖ０を推定している。
【０００３】
【発明が解決しようとする課題】
しかし、上記のごとき従来例においては、実際の電池の物理特性とは全く異なる「非回帰型の電池モデル（出力値が入力値の現在値および過去値だけで決るモデル）」に「適応デジタルフィルタ（逐次型のモデルパラメータ同定アルゴリズム）」を用いて開路電圧を算出し、この値から充電率ＳＯＣを算出している。そのため、実際の電池特性（入力：電流、出力：電圧）に応用した場合、電池特性によっては推定演算が全く収束しなかったり、真値に収束しないため、正確な充電率ＳＯＣを推定することが困難である、という問題があった。
本発明は上記のごとき従来技術の問題を解決するためになされたものであり、充電率ＳＯＣおよびその他のパラメータを正確に推定することの出来る二次電池の充電率推定装置を提供することを目的とする。
【０００４】
【課題を解決するための手段】
上記の目的を達成するため、本発明においては、前記（数１）式に示す連続時間系の電池モデルを用いて、適応デジタルフィルタ演算を行い、前記の計測した電流Ｉと端子電圧Ｖを用いて過渡項であるＡ(ｓ）、Ｂ(ｓ）、Ｃ(ｓ）の係数に対応するパラメータを一括推定するパラメータ推定手段と、計測した電流Ｉと端子電圧Ｖおよび前記パラメータ推定手段で推定したパラメータを前記（数１）式に代入することで開路電圧Ｖ０を算出する開路電圧演算手段と、推定した開路電圧Ｖ０を用いて、予め求めた開路電圧Ｖ０と充電率ＳＯＣの関係から充電率を推定する充電率推定手段と、を備えるように構成している。
また、電池モデル式によってパラメータを推定して二次電池の充電状態を検出する二次電池の充電率推定装置においては、通常の充放電時には、電流および端子電圧の測定値に対してノイズの値は微小であるため、影響を受けないが、電流遮断時（電流が略０の微小電流時）には計測した電流値および端子電圧値がノイズの影響を受け易く、パラメータ推定精度が悪化する可能性がある。本発明においては、上記の問題を防止するため、電流遮断時（略０の微小電流時：つまり電流の絶対値が所定値以下の場合）にはパラメータの推定値を前回の演算値に保持するように構成している。
【０００５】
【発明の効果】
二次電池の電流Ｉと端子電圧Ｖと開路電圧Ｖ０の関係を、（数１）式のような伝達関数で近似する構成であるため、最小二乗法等の適応デジタルフィルタ（公知の推定アルゴリズム）を適用することが可能になる。その結果、式中のパラメータ（オフセット項である開路電圧Ｖ０および多項式Ａ(ｓ）、Ｂ(ｓ）、Ｃ(ｓ）の係数）を一括推定することが可能になる。これらのパラメータは充電率や温度や劣化度などに影響され、時々刻々と変化するものであるが、適応デジタルフィルタにより精度良く逐次推定することが可能である。そして開路電圧Ｖ０と充電率の一意的な相関を記憶しておけば、推定した開路電圧から充電率に換算できる。そのため、充電率についても式中のパラメータ同様に、精度良く逐次推定することが可能である。
また、電流遮断状態のように電流が微小な値を継続する場合には、各パラメータ推定値として前回の演算値を保持する構成であるため、電流遮断中の推定演算がノイズの影響を受けて、適応デジタルフィルタによるパラメータ推定精度が悪化するのを防止することができる、という効果がある。
【０００６】
【発明の実施の形態】
（実施例１）
図１は、本発明の実施例を機能ブロックで表した図である。図１において、１はパラメータ推定手段であり、開路電圧Ｖ０(ｋ）をオフセット項とする電池モデルに基づいたものである。また、２は開路電圧Ｖ０(ｋ）演算手段、３は開路電圧から充電率を演算する充電率推定手段である。また、４は電池から充放電される電流を検出する電流Ｉ(ｋ）計測手段、５は電池の端子電圧を検出する端子電圧Ｖ(ｋ）計測手段である。
【０００７】
図２は、実施例の具体的な構成を示すブロック図である。この実施例は、二次電池でモータ等の負荷を駆動したり、モータの回生電力で二次電池を充電するシステムに、二次電池の充電率推定装置を設けた例を示す。
図２において、１０は二次電池（単に電池とも言う）、２０はモータ等の負荷、３０は電池の充電状態を推定するバッテリーコントローラ（電子制御ユニット）で、プログラムを演算するＣＰＵやプログラムを記憶したＲＯＭや演算結果を記憶するＲＡＭから成るマイクロコンピュータと電子回路等で構成される。４０は電池から充放電される電流を検出する電流計、５０は電池の端子電圧を検出する電圧計、６０は電池の温度を検出する温度計であり、それぞれバッテリーコントローラ３０に接続される。上記のバッテリーコントローラ３０は前記図１のパラメータ推定手段１、開路電圧Ｖ０(ｋ）演算手段２および充電率推定手段３の部分に相当する。また、電流計４０は電流Ｉ(ｋ）計測手段４に、電圧計５０は端子電圧Ｖ(ｋ）計測手段５に、それぞれ相当する。
【０００８】
まず、本実施例で用いる「電池モデル」を説明する。図３は、二次電池の等価回路モデルを示す図であり、下記（数５）式（＝前記数４式）で表わすことが出来る。
【０００９】
【数５】
0003714330.tif 000002
ただし、モデル入力は電流Ｉ［Ａ］（正値は充電、負値は放電）、モデル出力は端子電圧Ｖ［Ｖ］、Ｖ０［Ｖ］は開路電圧、Ｋは内部抵抗、Ｔ１〜Ｔ３は時定数、ｓはラプラス演算子である。
本モデルは、正極、負極を特に分離していないリダクションモデル（一次）であるが、実際の電池の充放電特性を比較的正確に示すことが可能である。（数５）式は前記（数１）式において、Ａ(ｓ）＝Ｔ１・ｓ＋１、Ｂ(ｓ）＝Ｋ・(Ｔ２・ｓ＋１、Ｃ(ｓ）＝Ｔ３・ｓ＋１と置いたものである。
【００１０】
以下、前記（数５）式の電池モデルから適応デジタルフィルタまでの導出を、最初に説明する。
開路電圧Ｖ０は、電流Ｉに可変な効率Ａを乗じた値を、或る初期状態から積分したものと考えれば、（数６）式で書ける。
【００１１】
【数６】
0003714330.tif 000003
なお、（数６）式は前記（数２）式におけるｈを上記Ａに置き換えたものに相当する。
（数６）式を（数５）式に代入すれば（数７）式になる。
【００１２】
【数７】
0003714330.tif 000004
なお、（数７）式は前記（数３）式に相当するものであり、（数３）式中のＡ(ｓ）、Ｂ(ｓ）、Ｃ(ｓ）について前記（数５）式と同様に下記の式を代入したものである。
Ａ(ｓ）＝Ｔ１・ｓ＋１
Ｂ(ｓ）＝Ｋ・（Ｔ２・ｓ＋１）
Ｃ(ｓ）＝Ｔ３・ｓ＋１
つまり、（数３）式が一般式であり、それを一次モデルに適用したものが（数７）式である。
上記の（数７）式を整理すれば（数８）式になる。
【００１３】
【数８】
0003714330.tif 000005
なお、（数８）式の最後の式においては、パラメータを下記（数９）式に示すように書き直している。
【００１４】
【数９】
0003714330.tif 000006
安定なローパスフィルタＧ１(ｓ）を（数８）式の両辺に導入して、整理すれば（数１０）式になる。
【００１５】
【数１０】
0003714330.tif 000007
（数８）式において、前記（数５）式と逆に
Ｔ１・ｓ＋１＝Ａ(ｓ）
Ｋ・（Ｔ２・ｓ＋１）＝Ｂ(ｓ）
Ｔ３・ｓ＋１＝Ｃ(ｓ）
を代入すると、
ｓ・Ａ(ｓ）・Ｃ(ｓ）・Ｖ＝Ｂ(ｓ）・Ｃ(ｓ）・ｓ・Ｉ＋Ａ・Ａ(ｓ）・Ｉ
となり、これを変形すると、
ｓ・Ａ(ｓ）・Ｃ(ｓ）・Ｖ＝〔Ｂ(ｓ）・Ｃ(ｓ）・ｓ＋Ａ・Ａ(ｓ）〕・Ｉ
となる。
つまり、一般式を一次モデルに適用したものが（数１０）式である。
【００１６】
実際に計測可能な電流Ｉや端子電圧Ｖを、ローパスフィルタやバンドパスフィルタで処理した値を下記（数１１）式のように定義する。ただし、ｐ１は、Ｇ１(ｓ）の応答性を決める定数である。
【００１７】
【数１１】
0003714330.tif 000008
上記（数１１）式に示した変数を用いて（数１０）式を書き直せば（数１２）式になり、変形すれば、（数１３）式になる。
【００１８】
【数１２】
0003714330.tif 000009
【００１９】
【数１３】
0003714330.tif 000010
（数１３）式は、計測可能な値と未知パラメータの積和式になっているので、一般的な適応デジタルフィルタの標準形（数１４）式と一致する。
なお、ωＴは、ベクトルωの行と列を入れ替えた転置ベクトルを意味する。
【００２０】
【数１４】
0003714330.tif 000011
ただし、（数１４）式において、ｙ、ωＴ、θはそれぞれ下記（数１５）式で示される。
【００２１】
【数１５】
0003714330.tif 000012
したがって、電流Ｉと端子電圧Ｖにフィルタ処理を施した信号を、適応デジタルフィルタ演算に用いることで、未知パラメータベクトルθを推定することが出来る。
本実施例では、単純な「最小二乗法による適応フィルタ」の論理的な欠点（一度推定値が収束すると、その後パラメータが変化しても再度正確な推定ができないこと）を改善した「両限トレースゲイン方式」を用いる。前記（数１４）式を前提にした未知パラメータベクトルθを推定するためのパラメータ推定アルゴリズムは（数１６）式に示すようになる。ただし、ｋ時点のパラメータ推定値をθ(ｋ）とする。
【００２２】
【数１６】
0003714330.tif 000013
ただし、λ１、λ３(ｋ）、γＵ、γＬは初期設定値で、ｂ＜λ１＜１、０＜λ３(ｋ）＜∞とする。Ｐ(０）は十分大きな値、θ(０）は非ゼロの十分小さな値を初期値とする。ｔｒａｃｅ｛Ｐ｝は行列Ｐのトレースを意味する。
以上が、電池モデルから適応デジタルフィルタまでの導出である。
【００２３】
図５および図６は、バッテリーコントローラ３０のマイクロコンピュータが行う処理のフローチャートであり、同図のルーチンは一定周期Ｔ０（例えば１０ｍｓｅｃ）毎に実施される。例えば、Ｉ(ｋ）は今回の値、Ｉ(ｋ−１）は１回前の値を意味する。
まず、図５において、ステップＳ１０では、電流Ｉ(ｋ）、端子電圧Ｖ(ｋ）を計測する。
ステップＳ２０では、二次電池の遮断リレーのオン・オフ判断を行う。つまりバッテリーコントローラ３０は二次電池の遮断リレーの制御も行っており、リレー遮断時（電流Ｉ＝０）はステップＳ３０へ進む。リレー締結時はステップＳ４０へ進む。
ステップＳ３０では、端子電圧Ｖ(ｋ）を端子電圧初期値Ｖ_iniとして記憶する。
ステップＳ４０では、端子電圧差分値△Ｖ(ｋ）を算出する。
ただし、△Ｖ(ｋ）＝Ｖ(ｋ）−Ｖ_ini
これは、適応デジタルフィルタ内の推定パラメータの初期値を約０としているので、推定演算開始時に推定パラメータが発散しないように、入力を全て０とするためである。リレー遮断時はステップＳ３０を通るので、Ｉ＝０かつ△Ｖ(ｋ）＝０のため、推定パラメータは初期状態のままである。
【００２４】
ステップＳ５０では、計測した電流値が不感帯（微小範囲）内にあるか否かを、電流の絶対値｜Ｉ(ｋ）｜で判定する。そして｜Ｉ(ｋ）｜＜所定値の場合はステップＳ６０へ進む。その他の場合はステップＳ１００へ進む。
ステップＳ６０では、カウンタＣＮＴ１(ｋ）をインクリメントしてステップＳ７０へ進む。
ステップＳ７０では、電流値が不感帯内の値を継続している時間を判定する。そしてＣＮＴ１(ｋ）＞所定値（例えば５０秒）の場合、つまり不感帯内の値を所定値以上継続している場合はステップＳ８０へ進む。その他の場合はステップＳ９０へ進む。
ステップＳ８０では、適応フィルタ保持フラグＦＨＯＪＩ(ｋ）＝１とする。ステップＳ９０では、適応フィルタ保持フラグＦＨＯＪＩ(ｋ）＝０とする。ステップＳ１００では、適応フィルタ保持フラグＦＨＯＪＩ(ｋ）＝０、およびＣＮＴ１(ｋ）＝０とする。ステップＳ８０、ステップＳ９０、ステップＳ１００で上記の処理を行った後は、それぞれ図６のステップＳ１１０へ進む。
【００２５】
以下、図６において、ステップＳ１１０では、電流Ｉ(ｋ）と端子電圧差分値△Ｖ(ｋ）に、（数１１）式に基づきローパスフィルタ、バンドパスフィルタのフィルタ処理を施し、Ｉ０(ｋ）〜Ｉ３(ｋ）およびＶ１(ｋ）〜Ｖ３(ｋ）を（数１７）式から算出する。
この際、（数１６）式のパラメータ推定アルゴリズムの推定精度を良くするために、観測ノイズを低減するようローパスフィルタＧ１(ｓ）の応答性を遅く設定する。ただし、電池の応答特性（時定数Ｔ１の概略値は既知である）よりも速い特性でないと、電池モデルの各パラメータを精度良く推定できない。（数１７）式のｐ１は、Ｇ１(ｓ）の応答性を決める定数である。
【００２６】
【数１７】
0003714330.tif 000014
次に、ステップＳ１２０では、適応フィルタでの推定演算を実行するか、停止して内部変数を全て保持するかを、適応フィルタ保持フラグＦＨＯＪＩ(ｋ）で判断する。ＦＨＯＪＩ(ｋ）＝１の場合、推定演算を保持するためステップＳ１４０へ進む。その他の場合は推定演算を実行（前回値を保持しない）するためステップＳ１３０へ進む。
ステップＳ１３０では、ステップＳ１１０で算出したＩ０(ｋ）〜Ｉ３(ｋ）およびＶ１(ｋ）〜Ｖ３(ｋ）を（数１６）式に代入する。そして適応フィルタでのパラメータ推定アルゴリズムである（数１６）式を実行し、パラメータ推定値θ(ｋ）を算出する。ｙ(ｋ）、ωＴ(ｋ）、θ(ｋ）は下記（数１８）式で示される。
【００２７】
【数１８】
0003714330.tif 000015
ステップＳ１４０では、前回の演算値またはステップＳ１３０で算出したパラメータ推定値θ(ｋ）の中からａ〜ｅを、電池モデルである前記（数５）式を変形した下記（数２０）式に代入して、開路電圧Ｖ０の代用としてＶ０’を算出する。開路電圧Ｖ０は変化が緩やかなので、Ｖ０’で代用できる。ただし、ここで求まるのは推定演算開始時からの開路電圧推定値の変化分△Ｖ０(ｋ）である。
ここで、下記（数１９）式中の〔１／Ｇ２(ｓ）]Ｉ等を下記（数２２）式に示すように置き換えたものが（数２０）式に相当する。また、（数２０）式の導出において、（数１９）式のＫと（数２０）式のｅは厳密には異なるけれども、物理的にＫ》Ａ・Ｔ１であるため、ｅ≒Ｋと近似している。また、（数２０）式中の各係数ａ〜ｅは下記（数２１）式に示す内容である。
【００２８】
【数１９】
0003714330.tif 000016
【００２９】
【数２０】
0003714330.tif 000017
【００３０】
【数２１】
0003714330.tif 000018
【００３１】
【数２２】
0003714330.tif 000019
（数２２）式のｐ２はＧ２(ｓ）の応答性を決める定数である。電池パラメータのＴ１は概略値が数秒と判っているため、（数２２）式中のＴ１’はＴ１に近い値に設定する。それにより（数２０）式中の分子に残る「Ｔ１・ｓ＋１」を相殺できるため、開路電圧Ｖ０の推定精度を向上できるからである。
ステップＳ１５０では、ステップＳ１４０で算出した△Ｖ０(ｋ）はパラメータ推定アルゴリズム開始時からの開路電圧の変化分であるから、開路電圧初期値すなわち端子電圧初期値Ｖ_iniを加算して開路電圧推定値Ｖ０(ｋ）を下記（数２３）式から算出する。
Ｖ０(ｋ）＝△Ｖ０(ｋ）十Ｖ_ini      …（数２３）
ステップＳ１６０では、図４に示す開路電圧と充電率の相関マップを用いて、ステップＳ１５０で算出したＶ０(ｋ）から充電率ステップＳＯＣ(ｋ）を算出する。
なお、図４において、ＶＬはステップＳＯＣ＝０％に、ＶＨはステップＳＯＣ＝１００％に相当する開路電圧である。
ステップＳ１７０では、次回演算に必要な数値を保存して、今回演算を終了する。以上を、実施例の動作の説明とする。
【００３２】
（１）上記のように、二次電池の電流Ｉと端子電圧Ｖと開路電圧Ｖ０の関係を、一般式では（数１）式、実施例では（数５）式（＝数４式）のような伝達関数で近似する構成であるため、最小二乗法等の適応デジタルフィルタ（公知の推定アルゴリズム）を適用することが可能になる効果がある。その結果、式中のパラメータ（オフセット項である開路電圧Ｖ０および多項式Ａ(ｓ）、Ｂ(ｓ）、Ｃ(ｓ）の係数）を一括推定することが可能になる。そして推定したパラメータを（数１）式に代入することで、開路電圧Ｖ０の推定値を容易に算出できる。これらのパラメータは充電率や温度や劣化度などに影響され、時々刻々と変化するものであるが、適応デジタルフィルタにより精度良く逐次推定することが可能である。そして図４に示したような開路電圧Ｖ０と充電率の一意的な相関を記憶しておけば、推定した開路電圧から充電率に換算できる。そのため、充電率についても式中のパラメータ同様に、精度良く逐次推定することが可能である。
【００３３】
（２）また、電流遮断状態のように電流値が微小な値を継続する場合には、各パラメータ推定値の前回演算値を保持する構成であるため、電流遮断中の推定演算がノイズの影響を受けて、適応デジタルフィルタによるパラメータ推定精度が悪化するのを防止できる効果がある。
【００３４】
（３）二次電池の電流Ｉと端子電圧Ｖの関係式である（数１）式を、（数２）式のように近似した場合には、開路電圧Ｖ０（オフセット項）を含まない構成になるため、計測可能な電流Ｉと端子電圧Ｖを各々フィルタ処理した値と、未知パラメータ（多項式Ａ(ｓ）、Ｂ(ｓ）、Ｃ(ｓ）の係数パラメータおよびｈ）との積和式が得られるので、通常の適応デジタルフィルタ（最小二乗法などで、公知のパラメータ推定アルゴリズム）を連続時間系のまま適用することが可能になるという効果がある。
【００３５】
（４）二次電池の電流Ｉと端子電圧Ｖの関係式である（数１）式を、（数４）式のように近似した場合には、上記（３）と同様の効果が得られると共に、演算時間やプログラム容量を必要最小限に抑えることができるという効果がある。
【００３６】
図７および図８は、実施例に基づいたパラメータ推定のシミュレーション結果を示す図である。図７は、電流遮断状態が長時間継続（５００〜８００秒）している間も、適応デジタルフィルタの演算を継続して各パラメータ推定値を保持しない（本発明の構成を用いない）場合の状態を示し、図８は適応デジタルフィルタの演算を一時停止して、各パラメータ推定値を前回の演算値に保持する場合（本発明の構成）の状態を示す。なお、シミュレーションの際、電池モデルは（数５）式を用い、１次遅れの時定数に関しては、Ｔ１≪Ｔ３に設定している。これは、鉛酸電池などを想定した設定である。
【００３７】
図７においては、電流遮断中でも各パラメータ推定値を保持しない構成であるため、ノイズの影響を受けてパラメータ推定値は真値から乖離し（図中▲２▼〜▲３▼）、充放電を再開した際にステップＳＯＣ推定値に不連続な部分（図中▲１▼）が生じ、推定精度が悪化する。
図８においては、電流遮断中、各パラメータ推定値を前回の演算値に保持する構成であるため、パラメータ推定値は真値と一致し続け（図中▲２▼〜▲３▼）、充放電を再開した際にステップＳＯＣ推定値は連続性（図中▲１▼）を有し、推定精度が良好であることが判る。
【図面の簡単な説明】
【図１】本発明の実施例を機能ブロックで表した図。
【図２】実施例の具体的な構成を示すブロック図。
【図３】二次電池の等価回路モデルを示す図。
【図４】開路電圧と充電率の相関マップ。
【図５】バッテリーコントローラ３０のマイクロコンピュータが行う処理のフローチャートの一部。
【図６】バッテリーコントローラ３０のマイクロコンピュータが行う処理のフローチャートの他の一部。
【図７】電流Ｉと端子電圧Ｖを適応フィルタに入力して、各パラメータを推定したシミュレーション結果を示す図。
【図８】本発明の構成において電流Ｉと端子電圧Ｖを適応フィルタに入力して、各パラメータを推定したシミュレーション結果を示す図。
【符号の説明】
１…パラメータ推定手段              ２…開路電圧Ｖ０(ｋ）演算手段
３…充電率推定手段                  ４…電流Ｉ(ｋ）計測手段
５…端子電圧Ｖ(ｋ）計測手段       １０…二次電池
２０…負荷                          ３０…バッテリーコントローラ
４０…電流計                        ５０…電圧計
６０…温度計
【図１】
0003714330.tif 000024
【図２】
0003714330.tif 000025
【図３】
0003714330.tif 000026
【図４】
0003714330.tif 000027
【図５】
0003714330.tif 000028
【図６】
0003714330.tif 000029
【図７】
0003714330.tif 000030
【図８】
0003714330.tif 000031